(57)【要約】【課題】都市部にある各種の建物に適用される屋上緑化方式において、植物の育成に必要な水分を効率的に供給しうる屋上緑化貯水構造を提供する。【解決手段】建物２の屋上床面に貯水造成用構造物５をその凹部が上向くように載置し、この貯水造成用構造物５の上側に遮水シート３を敷設する。遮水シート３の上に植生土壌６を敷き詰めることにより、遮水シート３を貯水造成用構造物５の凹部に沈み込ませて貯水空間４を形成する。これにより、任意の貯水容量に適合した貯水空間４を容易に形成できるとともに、貯水位置と貯水量の双方を自在に決めることが可能となる。【選択図】　　　図１
2004057051.tif 000002
【特許請求の範囲】
【請求項１】
建物（２）の屋上床面に貯水造成用構造物（５）をその凹部（５ａ）が上向くように載置し、
この貯水造成用構造物の上側に遮水シート（３）を敷設し、
この遮水シートの上に植生土壌（６）を敷き詰めることにより、当該遮水シートを前記貯水造成用構造物の凹部に沈み込ませて貯水空間（４）を形成したことを特徴とする屋上緑化貯水構造。
【請求項２】
建物（２）の屋上床面に遮水シート（３）を敷設し、
この遮水シートの上側に貯水造成用構造物（５）をその凹部（５ａ）が上向くように載置し、
この貯水造成用構造物の上側に不透水性フィルム（８）を敷設し、
この不透水性フィルムの上に植生土壌（６）を敷き詰めることにより、当該不透水性フィルムを前記貯水造成用構造物の凹部に沈み込ませて貯水空間（４）を形成したことを特徴とする屋上緑化貯水構造。
【発明の詳細な説明】
【０００１】
【発明の属する技術分野】
本発明は、都市部にある各種の建物に適用するに好適な屋上緑化貯水構造に関するものである。
【０００２】
【従来の技術】
近年、緑の減少に起因するヒートアイランド現象や炭酸ガスの増加による地球温暖化の問題が都市部を中心に顕在化してきており、その対策として都市部の緑化が強力に推進されつつある。しかし、都市部では緑化空間を確保することが困難であるため、建物の屋上空間を緑化のために活用する屋上緑化方式が注目されている。
【０００３】
【発明が解決しようとする課題】
しかし、この屋上緑化方式では、降雨水の排水設備や、屋上から建物内部への漏水を防ぐ遮水設備が必要になるところ、建物の屋上の耐荷重強度には法律上の制限があることから、厳しい自然環境下で植物を育成するのに必要な水分を供給しにくいという不都合があった。
【０００４】
本発明は、このような事情に鑑み、屋上での植物の育成に必要な水分を効率的に供給することが可能な屋上緑化貯水構造を提供することを目的とする。
【０００５】
【課題を解決するための手段】
まず、本発明のうち請求項１に係る発明は、建物（２）の屋上床面に貯水造成用構造物（５）をその凹部（５ａ）が上向くように載置し、この貯水造成用構造物の上側に遮水シート（３）を敷設し、この遮水シートの上に植生土壌（６）を敷き詰めることにより、当該遮水シートを前記貯水造成用構造物の凹部に沈み込ませて貯水空間（４）を形成して構成される。
【０００６】
また、本発明のうち請求項２に係る発明は、建物（２）の屋上床面に遮水シート（３）を敷設し、この遮水シートの上側に貯水造成用構造物（５）をその凹部（５ａ）が上向くように載置し、この貯水造成用構造物の上側に不透水性フィルム（８）を敷設し、この不透水性フィルムの上に植生土壌（６）を敷き詰めることにより、当該不透水性フィルムを前記貯水造成用構造物の凹部に沈み込ませて貯水空間（４）を形成して構成される。
【０００７】
ここで、貯水造成用構造物の形状は、凹部を備えたものである限り、どうような形状であってもよい。これらの構成を採用することにより、任意の貯水容量に適合した貯水空間を容易に形成できるとともに、貯水位置と貯水量の双方を自在に決めることが可能となるように作用する。
【０００８】
なお、括弧内の符号は図面において対応する要素を表す便宜的なものであり、したがって、本発明は図面上の記載に限定拘束されるものではない。このことは「特許請求の範囲」の欄についても同様である。
【０００９】
【発明の実施の形態】
以下、本発明の実施形態を図面に基づいて説明する。
【００１０】
＜第１の実施形態＞
図１は本発明に係る屋上緑化貯水構造の第１の実施形態を示す断面図、
図２は図１に示す屋上緑化貯水構造の貯水造成用構造物の代表三例を示す斜視図である。
【００１１】
この屋上緑化貯水構造１では、図１に示すように、建物２の屋上床面に貯水造成用構造物５が載置されており、この貯水造成用構造物５は、図２に示すように、合成繊維製ロープまたは合成樹脂製パイプを格子状に組み合わせたり（図２（ａ））、合成繊維製ロープまたは合成樹脂製パイプを円形に加工したり（図２（ｂ））、合成樹脂を格子状に成型したり（図２（ｃ））したものである。そして、この貯水造成用構造物５はその凹部５ａが上向くように設置されており、貯水造成用構造物５の上側には遮水シート３が敷設されている。さらに、遮水シート３の上には植生土壌６が敷き詰められているため、植生土壌６の重量によって遮水シート３は貯水造成用構造物５の凹部５ａに沈み込んで複数の貯水空間４を形成している。なお、遮水シート３としては、貯水造成用構造物５の凹部５ａに沿って容易に変形する必要があることと、長期間にわたって遮水機能を維持しなければならないことから、耐久性および柔軟性のある厚さ１．０〜２．０ｍｍの軟質合成樹脂製のシートを用いるのが望ましい。また、植生土壌６の重量が不十分なときなどは、人力で遮水シート３を沈み込ませるようにしても構わない。
【００１２】
屋上緑化貯水構造１は以上のような構成を有するので、降雨や散水による水分７は植生土壌６を下向きに透過して貯水空間４に所定量だけ貯水され、余剰の水分７は貯水空間４から溢れて遮水シート３上を流れて排出される。そして、貯水空間４内の水分７は植生土壌６の乾燥度合に応じて毛管現象で植生土壌６中に浸透し、植物の生育が促進される。このように、植物の育成に必要な水分７を貯水空間４に貯水して効率的に供給することが可能となり、そのため屋上緑化方式の普及に弾みをつけることができる。
【００１３】
このとき、貯水造成用構造物５の凹部５ａの容積を予め適当に設定しておけば、任意の貯水容量に適合した貯水空間４を容易に形成することができる。また、貯水空間４の貯水位置と貯水量の双方を自在に決めることができるため、水分７の適正供給量に差がある植物をも問題なく生育することが可能となる。さらに、遮水シート３は漏水防止機能のみならず貯水機能をも発現することになるので、経済性に優れる。
【００１４】
なお、上述の実施形態においては、遮水シート３を活用した屋上緑化貯水構造１について説明したが、遮水シート３と不透水性フィルムを併用することも可能である。以下、第２の実施形態として、そうした屋上緑化貯水構造１について説明する。
【００１５】
＜第２の実施形態＞
図３は本発明に係る屋上緑化貯水構造の第２の実施形態を示す断面図である。
【００１６】
この屋上緑化貯水構造１では、図３に示すように、建物２の屋上床面に遮水シート３が敷設されており、遮水シート３の上側には貯水造成用構造物５が載置されている。貯水造成用構造物５の上側には厚さ０．１〜１．０ｍｍの合成樹脂製の不透水性フィルム８が敷設されており、不透水性フィルム８の上には植生土壌６が敷き詰められているため、植生土壌６の重量によって不透水性フィルム８は貯水造成用構造物５の凹部５ａに沈み込んで複数の貯水空間４を形成している。
【００１７】
屋上緑化貯水構造１は以上のような構成を有するので、降雨や散水による水分７は植生土壌６を下向きに透過して貯水空間４に所定量だけ貯水され、余剰の水分７は貯水空間４から溢れて不透水性フィルム８上を流れて排出される。そして、貯水空間４内の水分７は植生土壌６の乾燥度合に応じて毛管現象で植生土壌６中に浸透し、植物の生育が促進される。このように、植物の育成に必要な水分７を貯水空間４に貯水して効率的に供給することが可能となり、そのため屋上緑化方式の普及に弾みをつけることができる。
【００１８】
このとき、貯水造成用構造物５の凹部５ａの容積を予め適当に設定しておけば、任意の貯水容量に適合した貯水空間４を容易に形成することができる。また、貯水空間４の貯水位置と貯水量の双方を自在に決めることができるため、水分７の適正供給量に差がある植物をも問題なく生育することが可能となる。さらに、遮水シート３は漏水防止機能のみならず貯水機能をも発現することになるので、経済性に優れる。
【００１９】
＜その他の実施形態＞
また、遮水シート３と植生土壌６との間に透水性クロス（図示せず）を敷設して植物の根による各種の障害を防いだり、遮水シート３と植生土壌６との間に各種の排水材（図示せず）を敷設して降雨による過剰水分を排除したりすることも勿論できる。
【００２０】
【発明の効果】
以上説明したように、本発明のうち請求項１、２に係る発明によれば、任意の貯水容量に適合した貯水空間を容易に形成できるとともに、貯水位置と貯水量の双方を自在に決めることが可能となることから、屋上での植物の育成に必要な水分を効率的に供給することが可能な屋上緑化貯水構造を提供することができる。
【図面の簡単な説明】
【図１】本発明に係る屋上緑化貯水構造の第１の実施形態を示す断面図である。
【図２】図１に示す屋上緑化貯水構造の貯水造成用構造物の代表三例を示す斜視図である。
【図３】本発明に係る屋上緑化貯水構造の第２の実施形態を示す断面図である。
【符号の説明】
１……屋上緑化貯水構造
２……建物
３……遮水シート
４……貯水空間
５……貯水造成用構造物
５ａ……凹部
６……植生土壌
７……水分
８……不透水性フィルム
【図１】
2004057051.tif 000003
【図２】
2004057051.tif 000004
【図３】
2004057051.tif 000005